(57)【要約】      （修正有）【課題】再生用端末装置の表示画面に応じた動画像データを生成し表示できる動画像データ記録再生システム及びその方法を提供する。【解決手段】縦方向より横方向が長い動画像データＭＩのうち、操作部の入力操作に応じて指定された注目対象物の横方向の位置情報を位置情報データとして動画像データＭＩと共に送信する記録用端末装置２０と、動画像データＭＩと位置情報データと受信して関連付けて記録媒体に記録し、外部からの再生要求に応じて読み出して送信するサーバ装置３０と、動画像データＭＩ及び位置情報データをサーバ装置３０から受信すると、傾きセンサで表示画面の表示方向を検出し、表示画面の長手方向が縦に配置されたと判定した場合には、位置情報データに基づいて動画像データＭＩの中から、注目対象物を含む画像領域ＡＲを順次切り出して切出し動画像データを生成し、表示画面４０Ｄに表示する再生用端末装置４０とを備える。【選択図】図１
2017097140.tif 000002
【特許請求の範囲】
【請求項１】
縦方向より横方向の長さが長い画像からなる動画像データのうち、操作部における入力操作に応じて指定された注目対象物の動きに追従することにより、前記注目対象物の横方向の位置情報を順次取得し、これを位置情報データとして前記動画像データと共に送信する記録用端末装置と、
前記動画像データ及び前記位置情報データを受信すると、前記動画像データと前記位置情報データとを関連付けて記録媒体に記録しておき、外部からの再生要求に応じて、前記動画像データ及び前記位置情報データを前記記録媒体から読み出して送信するサーバ装置と、
横方向より縦方向の長さが長い表示画面を有し、前記動画像データ及び前記位置情報データを前記サーバ装置から受信すると、傾きセンサによって前記表示画面の表示方向を検出し、前記表示画面の長手方向が縦に配置されたと判定した場合には、前記位置情報データに基づいて、前記動画像データの中から、前記注目対象物を含む画像領域を順次切り出していくことにより、切出し動画像データを生成し、これを前記表示画面に表示して再生する再生用端末装置と
を備えることを特徴とする動画像データ記録再生システム。
【請求項２】
縦方向より横方向の長さが長い画像からなる動画像データのうち、操作部における入力操作に応じて指定された注目対象物の動きに追従することにより、前記注目対象物の横方向の位置情報を順次取得し、これを位置情報データとして前記動画像データと共に記録用端末装置からサーバ装置に送信するステップと、
前記サーバ装置において前記動画像データ及び前記位置情報データを受信すると、前記動画像データと前記位置情報データとを関連付けて記録媒体に記録しておき、外部からの再生要求に応じて、前記動画像データ及び前記位置情報データを前記記録媒体から読み出して前記サーバ装置から前記再生用端末装置に送信するステップと、
横方向より縦方向の長さが長い表示画面を有する前記再生用端末装置において、前記動画像データ及び前記位置情報データを受信すると、傾きセンサによって前記表示画面の表示方向を検出し、前記表示画面の長手方向が縦に配置されたと判定した場合には、前記位置情報データに基づいて、前記動画像データの中から、前記注目対象物を含む画像領域を順次切り出していくことにより、切出し動画像データを生成し、これを前記表示画面に表示して再生するステップと
を備えることを特徴とする動画像データ記録再生方法。
【発明の詳細な説明】
【技術分野】
【０００１】
本発明は、動画像データ記録再生システム及びその方法に関する。
【背景技術】
【０００２】
従来、動画像データを記録及び再生する際に、種々のデータ処理を行う方法が提案及び開発されている（例えば、特許文献１参照）。
【先行技術文献】
【特許文献】
【０００３】
【特許文献１】特開２０１５−１０６８４９号公報
【発明の概要】
【発明が解決しようとする課題】
【０００４】
本発明は、再生対象の動画像データの縦横比にかかわらず、再生用端末装置の表示画面に応じた動画像データを生成し表示することができる動画像データ記録再生システム及びその方法を提供することを目的とする。
【課題を解決するための手段】
【０００５】
本発明の一態様による動画像データ記録再生システムは、
縦方向より横方向の長さが長い画像からなる動画像データのうち、操作部における入力操作に応じて指定された注目対象物の動きに追従することにより、前記注目対象物の横方向の位置情報を順次取得し、これを位置情報データとして前記動画像データと共に送信する記録用端末装置と、
前記動画像データ及び前記位置情報データを受信すると、前記動画像データと前記位置情報データとを関連付けて記録媒体に記録しておき、外部からの再生要求に応じて、前記動画像データ及び前記位置情報データを前記記録媒体から読み出して送信するサーバ装置と、
横方向より縦方向の長さが長い表示画面を有し、前記動画像データ及び前記位置情報データを前記サーバ装置から受信すると、傾きセンサによって前記表示画面の表示方向を検出し、前記表示画面の長手方向が縦に配置されたと判定した場合には、前記位置情報データに基づいて、前記動画像データの中から、前記注目対象物を含む画像領域を順次切り出していくことにより、切出し動画像データを生成し、これを前記表示画面に表示して再生する再生用端末装置と
を備える。
【０００６】
また、本発明の一態様による動画像データ記録再生方法は、
縦方向より横方向の長さが長い画像からなる動画像データのうち、操作部における入力操作に応じて指定された注目対象物の動きに追従することにより、前記注目対象物の横方向の位置情報を順次取得し、これを位置情報データとして前記動画像データと共に記録用端末装置からサーバ装置に送信するステップと、
前記サーバ装置において前記動画像データ及び前記位置情報データを受信すると、前記動画像データと前記位置情報データとを関連付けて記録媒体に記録しておき、外部からの再生要求に応じて、前記動画像データ及び前記位置情報データを前記記録媒体から読み出して前記サーバ装置から前記再生用端末装置に送信するステップと、
横方向より縦方向の長さが長い表示画面を有する前記再生用端末装置において、前記動画像データ及び前記位置情報データを前記再生用端末装置において受信すると、傾きセンサによって前記表示画面の表示方向を検出し、前記表示画面の長手方向が縦に配置されたと判定した場合には、前記位置情報データに基づいて、前記動画像データの中から、前記注目対象物を含む画像領域を順次切り出していくことにより、切出し動画像データを生成し、これを前記表示画面に表示して再生するステップと
を備える。
【発明の効果】
【０００７】
本発明の動画像データ記録再生システム及びその方法によれば、再生対象の動画像データの縦横比にかかわらず、再生用端末装置の表示画面に応じた動画像データを生成し表示することができる。
【図面の簡単な説明】
【０００８】
【図１】本発明の実施の形態による動画像データ記録再生システムの構成を示すブロック図である。
【発明を実施するための形態】
【０００９】
以下、本発明の実施の形態について図面を参照して説明する。
【００１０】
図１（ａ）に、本発明の実施の形態による動画像データ記録再生システム１０の構成を示し、図１（ｂ）に、動画像データ記録再生システム１０による画像処理を示す。この動画像データ記録再生システム１０は、記録用端末装置２０から送信された動画像データをサーバ装置３０に記録しておき、例えばスマートフォンなどの再生用端末装置４０の再生要求に応じて、サーバ装置３０から動画像データを再生用端末装置４０に送信し再生する。
【００１１】
より具体的には、記録用端末装置２０は、外部の撮像装置などから入力された動画像データのうち、操作部（図示せず）におけるオペレータの入力操作に応じて指定された、例えば人などの注目対象物を検出することにより、注目対象物の動きに対応するようにして、注目対象物の横方向の位置情報を順次取得する。
【００１２】
例えば、記録用端末装置２０は、注目対象物を形成する各画素の画素値に基づいて、注目対象物の画像特徴量を抽出することにより注目対象物を特定し、注目対象物の画像特徴量に基づいて、注目対象物の動きに応じて刻々変化する注目対象物の横方向の位置情報を順次取得していく。
【００１３】
なお、記録用端末装置２０に入力される動画像データは、横：縦が例えば１６：９や４：３など、縦方向より横方向の長さが長い画像からなる。
【００１４】
続いて、記録用端末装置２０は、動画像データをサーバ装置３０に送信すると共に、順次取得された注目対象物の横方向の位置情報を位置情報データとしてサーバ装置３０に送信し、動画像データと位置情報データとを対応付けてサーバ装置３０の記録媒体（図示せず）に記録する。
【００１５】
この状態において、サーバ装置３０は、再生用端末装置３０から送信された動画像データの再生要求を受信すると、動画像データと位置情報データとを記録媒体（図示せず）から読み出し、これらを再生用端末装置４０に送信する。
【００１６】
再生用端末装置４０は、動画像データと位置情報データとを受信すると、その内部に搭載されている傾きセンサ（図示せず）によって、当該再生用端末装置４０の表示画面４０Ｄの表示方向を検出する。
【００１７】
なお、再生用端末装置４０の表示画面４０Ｄは、横方向より縦方向の長さが長くなるように形成されている。
【００１８】
再生用端末装置４０は、当該再生用端末装置４０の長手方向が縦に配置されたと判定した場合には、注目対象物の横方向の位置情報を示す位置情報データに基づいて、動画像データＭＩのうち、注目対象物の画像領域ＡＲを順次切り出していくことにより、切出し動画像データを生成し、これを表示画面４０Ｄに表示して再生する（図１（ｂ））。
【００１９】
これに対して、再生用端末装置４０は、当該再生用端末装置４０の長手方向が横に配置されたと判定した場合には、受信した動画像データＭＩをそのまま表示画面４０Ｄに表示して再生する。
【００２０】
このようにして、記録用端末装置２０は、縦方向より横方向の長さが長い画像からなる動画像データのうち、操作部における入力操作に応じて指定された注目対象物の動きに追従することにより、前記注目対象物の横方向の位置情報を順次取得し、これを位置情報データとして前記動画像データと共に送信する。
【００２１】
サーバ装置３０は、動画像データ及び位置情報データを受信すると、動画像データと位置情報データとを関連付けて記録媒体に記録しておき、外部からの再生要求に応じて、動画像データ及び位置情報データを記録媒体から読み出して送信する。
【００２２】
再生用端末装置４０は、横方向より縦方向の長さが長い表示画面４０Ｄを有し、動画像データ及び位置情報データをサーバ装置３０から受信すると、傾きセンサによって表示画面４０Ｄの表示方向を検出し、表示画面４０Ｄの長手方向が縦に配置されたと判定した場合には、位置情報データに基づいて、動画像データの中から、注目対象物を含む画像領域ＡＲを順次切り出していくことにより、切出し動画像データを生成し、これを表示画面４０Ｄに表示して再生する。
【００２３】
このように本実施の形態によれば、再生対象の動画像データの縦横比にかかわらず、再生用端末装置４０の表示画面４０Ｄに応じた動画像データを生成し再生することができる。
【００２４】
なお、上述の実施の形態においては、動画像データと位置情報データとを対応付けてサーバ装置３０に記録した場合について述べたが、本発明はこれに限らず、例えば、動画像データ内に位置情報データを組み込んでサーバ装置３０に記録しても良く、要は、動画像データと位置情報データとを関連付けてサーバ装置３０に記録するようにすれば良い。
【符号の説明】
【００２５】
１０  動画像データ記録再生システム
２０  記録用端末装置
３０  サーバ装置
４０  再生用端末装置
【図１】
2017097140.tif 000003